(57)【要約】【課題】  犬の歯槽膿漏、虫歯を防ぎ、歯を丈夫にする優れたドッグフードを提供すること。【解決手段】  スティック状を成し、牛等の骨とはぼ同等の硬さを有し、長手方向に３本の突条２，３，４を備え、かつそれぞれの突条を、６０〜１５０度の角度の間隔で配置したドッグフードとした。【選択図】        図１
2005304475.tif 000002
【特許請求の範囲】
【請求項１】
スティック状を成し、長手方向に３本の突条を備え、かつ、それぞれの突条を、６０〜１５０度の角度の間隔で配置したことを特徴とする、ドッグフード。
【請求項２】
上記突条間の角度を、異ならせたことを特徴とする、請求項１に記載のドッグフード。
【請求項３】
上記突条の高さを、異ならせたことを特徴とする、請求項１または２のいずれかに記載のドッグフード。
【請求項４】
上記突条の長手方向中間部の高さを、端部の高さよりも低く設定したことを特徴とする、請求項１〜３のいずれかに記載のドッグフード。
【請求項５】
上記突条の幅を、１．５〜１５ｍｍに設定したことを特徴とする、請求項１〜４のいずれかに記載のドッグフード。
【請求項６】
上記突条の先端を、アールに形成したことを特徴とする、請求項１〜５のいずれかに記載のドッグフード。
【請求項７】
上記突条の両側端を、傾斜させたことを特徴とする、請求項１〜６のいずれかに記載のドッグフード。
【請求項８】
穀類を主成分とし、それに植物繊維を含有させたことを特徴とする、ドッグフード。
【請求項９】
上記穀類は、澱粉と小麦粉を含んでいることを特徴とする、請求項８に記載のドッグフード。
【請求項１０】
上記植物繊維は、ガラス質を含んでいることを特徴とする、請求項８または９に記載ドッグフード。
【請求項１１】
キシリトール、カルシウム、グリセリン、精製ゼラチン、燐酸、フラボノイドのうちの少なくとも１つをさらに含有させたことを特徴とする、請求項８〜１０のいずれかに記載のドッグフード。
【請求項１２】
硬度が、６５〜８４であることを特徴とする、ドックフード。
【請求項１３】
スティック状を成し、長手方向に３本の突条を備え、穀類を主成分として、それに植物繊維を含有させたことを特徴とする、ドッグフード。
【発明の詳細な説明】
【技術分野】
【０００１】
本発明は、ドッグフードに関するもので、さらに詳しくは、犬の歯槽膿漏、虫歯を防ぎ、歯を丈夫にするドッグフードに関するものである。
【背景技術】
【０００２】
犬の歯槽膿漏、虫歯を防ぎ、顎を強くすると共に、歯を丈夫にするためのドッグフードはある（例えば、特許文献１）。
このドッグフードは、犬の好む食物を含有させて、牛や豚の骨と同程度の硬さを有し、全体にわたって多数の凹凸を形成したものである。
【０００３】
【特許文献１】特開２００２−５８４３６号公報（図１〜図９）
【発明の開示】
【発明が解決しようとする課題】
【０００４】
本発明者らは、上記従来品などよりもさらに犬の歯槽膿漏、虫歯を防ぎ、歯を丈夫にするドッグフードを提供すべく、鋭意研究を重ねた結果、歯の歯周ポケットを的確に刺激することができる形状、硬度、さらには、ブラッシング効果をもたせて歯を磨き、歯の強化に有益な要素を含有させることによって、犬の歯槽膿漏、虫歯を防ぎ、歯を丈夫にする優れたドッグフードを案出し、本発明を完成するに至った。
【課題を解決するための手段】
【０００５】
即ち、請求項１の本発明に係るドッグフードでは、スティック状を成し、長手方向に３本の突条を備え、かつそれぞれの突条を、６０〜１５０度の角度の間隔で配置している。  突条間の角度が小さ過ぎると、他の突条が邪魔をして、突条が歯周に的確に当たらない虞があり、突条間の角度が大き過ぎると、突条が歯周に当たらない場合が起こり得る。
【０００６】
請求項２の本発明に係るドッグフードでは、上記請求項１の発明において、突条間の角度を異ならせている。
突条間の角度の１つが大き過ぎると、他の突条間の角度が小さくなり過ぎるため、各突条間の角度は、突条間の角度を異ならせる場合においても、上記した６０〜１５０度の間で、適宜の角度に設定することが好ましい。
【０００７】
請求項３の本発明に係るドッグフードでは、上記請求項１または２の発明において、突条の高さを異ならせている。
突条の高さが高過ぎると、かじり難くなり、低過ぎると、突条が歯周に当たらなくなる虞がある。そのため、突条の高さは、５〜３０ｍｍの間で、適宜の高さに設定することが好ましい。
【０００８】
請求項４の本発明に係るドッグフードでは、上記請求項１〜３のいずれかの発明において、突条の長手方向中間部の高さを、端部の高さよりも低く設定している。
高さを低く設定する位置、即ち凹部の位置は、ドッグフードを安定して前足で掴めるように、端部から適宜な位置を設定することが好ましく、突条の長さの１／２の位置よりも、一方の端部側にオフセットさせることが好ましい。また、その低部の深さは、端部の突条の高さの１／４〜２／３が好ましい。
【０００９】
請求項５の本発明に係るドッグフードでは、上記請求項１〜４のいずれかの発明において、前記突条の幅を１．５〜１５ｍｍに設定している。
突条の幅が、１．５ｍｍよりも小さいと、突条が欠け易くなり、１５ｍｍよりも大きくなると、かじり難くなる。
【００１０】
請求項６の本発明に係るドッグフードでは、上記請求項１〜５のいずれかの発明において、前記突条の先端をアールに形成している。
突条の先端が角張っていると、突条が欠け易くなると共に、かじり難くなる。
【００１１】
請求項７の本発明に係るドッグフードでは、上記請求項１〜６のいずれかの発明において、上記突条の両側端を傾斜させている。
傾斜させる方向は、突条の先端方向が短くなるように傾斜させることが好ましい。
【００１２】
請求項８の本発明に係るドッグフードでは、穀類を主成分として、それに植物繊維を含有させている。
植物繊維の含有量は、２〜２０ｗｔ％が好ましい。植物繊維の量が少な過ぎると、ブラッシング効果は殆どなくなり、多すぎると、ドッグフードが脆くなってしまう。
【００１３】
請求項９の本発明に係るドッグフードでは、上記請求項８の発明において、澱粉と小麦粉を含有させている。
澱粉に対する小麦粉の量を多くすると、ドッグフードは硬くなる傾向にある。したがって、それらの量の比を適宜に設定して、最適な硬さに設定する。
【００１４】
請求項１０の本発明に係るドッグフードでは、上記請求項８または９の発明において、植物繊維は、ガラス質を含有させている。
【００１５】
請求項１１の本発明に係るドッグフードでは、上記請求項８〜１０のいずれかの発明において、キシリトール、カルシウム、グリセリン、精製ゼラチン、燐酸、プラボノイドのうちの少なくとも１つをさらに含有させている。
キシリトールは、歯を丈夫にするとともに、歯垢の生成を押える作用があり、カルシウムと燐酸は、成分のコラーゲンによって骨や歯を作る手助けをする。また、グリセリンは、ほどよい保湿による弾力性維持に有用であり、精製ゼラチンは、骨や歯の生成に有用である。また、フラボノイドは、口臭予防に有用である。
【００１６】
請求項１２の本発明に係るドッグフードでは、硬度を、６５〜８４にしている。
この硬度は、ＴＥＣＬＯＣＫ  表面硬度計（ＧＳ７５２Ｇ  ＴｙｐｅＤＯ）で試料の平らな所を選んで測定した時の値である。
【００１７】
請求項１３の本発明に係るドッグフードでは、スティック状を成し、長手方向に３本の突条を備え、穀類を主成分として、それに植物繊維を含有させている。
【発明の効果】
【００１８】
犬の場合は、スティック状のドッグフードを、前足で掴んで立てた状態でかじる習性がある。その場合に、突条の本数が２本以下の場合には、突条が歯周から外れる虞があり、突条の本数が４本以上の場合には、他の突条が邪魔をして、歯周に当たらない虞がある。  請求項１の本発明に係るドックフードによれば、突条のいずれかが歯周ポケットにあたり、歯周を刺激することができる。
【００１９】
請求項２の本発明に係るドックフードによれば、突条の角度が異なるため、該突条がいろいろな場所にいろいろな角度で接することとなり、歯槽膿漏の防止効果を高めることができる。
【００２０】
請求項３の本発明に係るドックフードによれば、ドッグフードをかじる度に、突条が上下の歯周ポケットの異なる箇所に当たるため、歯槽膿漏をより防止することができる。
【００２１】
請求項４の本発明に係るドックフードによれば、中間部を前足で掴むことによって、ドッグフードを安定して立てた状態に維持することができ、よりかじり易いドックフードとなる。
【００２２】
請求項５の本発明に係るドックフードによれば、突条を的確に歯周に当てることができ、かつ、突条が欠ける虞もない。
【００２３】
請求項６の本発明に係るドックフードによれば、突条が欠け難いものとなり、また丸みがあるために安全で、かつ、かじり易いドックフードとなる。
【００２４】
請求項７の本発明に係るドックフードによれば、該ドッグフードを立ててかじった場合に傾斜があるために動き易く、かじる度に突条が異なる箇所に当たることとなり、種々の歯周ポケットを刺激することができる。
【００２５】
請求項８の本発明に係るドックフードによれば、植物繊維によってブラッシング効果が得られ、虫歯の予防になる。
【００２６】
請求項９の本発明に係るドックフードによれば、澱粉と小麦粉の含有量を調整することにより、最適な硬さのドッグフードが得られる。
【００２７】
請求項１０の本発明に係るドックフードによれば、歯が磨かれ、歯の白さを維持することができる。
【００２８】
請求項１１の本発明に係るドックフードによれば、含有させた種々の成分によって、歯質の向上が図れる。
【００２９】
請求項１２の本発明に係るドックフードによれば、犬がかじり易く、かつ歯周を適度に刺激できる。
【００３０】
請求項１３の本発明に係るドックフードによれば、歯槽膿漏をより確実に防止することができる。
【発明を実施するための最良の形態】
【００３１】
以下に、上記した本発明に係るドッグフードの実施の形態を、図面を参照しながら詳細に説明する。
ここで、図１は、本発明に係るドッグフードの第１の実施の形態を概念的に示した斜視図、図２は、図１におけるドッグフードの側面図、図３は、図２におけるＡ矢視図、図４は、図２におけるＢ−Ｂ線に沿う部分の断面図である。
【００３２】
上記図１〜図４に示したドッグフード１は、スティック状を成し、長手方向にほぼ全長に渡って延びる３本の突条２，３，４を有している。
【００３３】
このドッグフード１の長さＬは、犬の大きさに対応させ、５〜２０ｃｍの間で、適宜の長さに設定される。図示した実施例品の長さＬは、１６ｃｍ程度に設定されている。
【００３４】
また、ドッグフード１の突条２，３，４間の角度α，β，γは、少なくともその一つが他と異なる角度に設定されることが好ましく、それらの角度α，β，γは、６０〜１５０度の間で、適宜の角度に設定される。図示した実施例品の角度α，β，γは、αが９０度、βとγが共に１３５度に設定されている。
【００３５】
また、突条２，３，４の高さｈ1 ，ｈ2 ，ｈ3 も、やはり少なくとも一つは他と異なる高さに設定されていることが、突条がいろいろな場所にいろいろな角度で当たることとなるために好ましく、例えば、犬の大きさに応じて、５〜３０ｍｍの間で、適宜な高さに設定される。図示した実施例品の高さｈ1 ，ｈ2 ，ｈ3 は、ｈ1 が２３ｍｍ、ｈ2 が２０ｍｍ、ｈ3 が１７ｍｍ程度に設定されている。
【００３６】
また、このドッグフード１では、突条２，３，４の少なくとも一つ、例えば突条４の長さの１／２の位置よりも、一方端側にオフセットさせた位置Ｃの高さｈ4 を、突条４の端部の高さｈ3 よりも低く設定されている。図示した実施例品の場合には、中心より１．５ｍｍ程度ずらせた位置の高さｈ4 を、端部の高さｈ3 の１／２程度に設定されている。
なお、実施例品では、突条４の位置Ｃのみを端部よりも低く形成しているが、他の突条２，３も同様に、位置Ｃに相当する位置を低く形成してもよい。
【００３７】
また、各突条２，３，４の幅ｗは、欠け難く、またかじり易い幅とする必要があることから、１．５〜１５ｍｍの間で、適宜な幅に設定されている。図示した実施例品の幅ｗは、８ｍｍ程度に設定されている。
【００３８】
次に、図５は、本発明に係るドッグフードの第２の実施の形態を概念的に示した斜視図であり、図６は、図５におけるドッグフードの側面図、図７は、図６におけるＸ矢視図、図８は、図６におけるＹ−Ｙ線に沿う部分の断面図である。
【００３９】
この図５〜図８に示したドッグフード１１は、前記図１〜図４に示したドッグフード１に比して、全体的に丸みをおびて形成されているが、その基本的な形態は同一であり、スティック状を成し、長手方向にほぼ全長に渡って延びる３本の突条１２，１３，１４を有している。
【００４０】
そして、このドッグフード１１の長さＬ等も、犬の大きさに対応させて種々のものが用意されるが、図示した実施例品の長さＬは、１２ｃｍ程度に設定されている。また、図７に示したように、突条１２，１３，１４間の角度α，β，γは、αが１０５度、βとγが共に１２７．５度程度に設定されている。さらに、突条１２，１３，１４の高さｈ1，ｈ2，ｈ3は、ｈ1とｈ2が共に１８ｍｍ、ｈ3が１１ｍｍ程度に設定されている。
【００４１】
また、このドッグフード１１では、図６及び図８に示したように、突条１４の長さ方向中心より右端側へ５ｍｍ程度ずらせた位置Ｚの該突条１４の高さｈ4 を、端部の高さｈ3 の１／３程度に設定されている。また、各突条１２，１３，１４の幅ｗ1，ｗ2，ｗ3は、ｗ1とｗ2が共に６ｍｍ、ｗ3が１２ｍｍ程度に設定され、各突条１２，１３，１４の先端には、欠け難く、またかじり易いものとする観点等から、アールが施されている。
【００４２】
更に、このドッグフード１１では、図６に明確に示したように、突条１４の先端方向が短くなるように、該ドッグフード１１の両側端１１ａ，１１ｂを台形形状に傾斜させている。この傾斜角度θは、２０度程度に設定されている。
なお、実施例品では、突条１４のみを先端方向が短くなるように両側端１１ａ，１１ｂを傾斜させているが、他の突条１２，１３も同様に、先端方向が短くなるように各々の突条の両側端を傾斜させてもよい。
【００４３】
上記のような形状のドッグフード１或いは１１は、澱粉および小麦粉を主成分とし、それに、ガラス質、例えば珪素を多く含んだ植物繊維５を２〜２０ｗｔ％混ぜ、さらに、キシトール、カルシウム、グリセリン、精製ゼラチン、燐酸、フラボノイドを混ぜ、それらを十分に混練させたのちに加熱し、型に充填して冷却することにより成形し、その後、適度な硬さになるように焼き上げられる。
【００４４】
得られたドックフードの硬さは、具体的には、例えば長さ寸法９０ｍｍの実施例品において、３点曲げ装置（装置名：ストログラフ）を用いて、６４ｍｍ幅で、１００ｍｍ／ｍｉｎで荷重を加えた際の測定値が、２０〜２３ｋｇｆ程度である。
また、硬度測定装置（装置名：ＴＥＣＬＯＣＫ  表面硬度計  ＧＳ７５２Ｇ  ＴｙｐｅＤＯ）を用いて、例えば長さ寸法９０ｍｍの実施例品の平らな所を選んで測定した時の値が、６５〜８４、好ましくは８０〜８４の硬度である。
【００４５】
このように構成された本発明に係るドッグフード１或いは１１は、前足で位置Ｃ或いはＺを掴んで立てた状態でかじられる。そして、その際に、突条２，３，４或いは１２，１３，１４のいずれかが、上下の歯周の当たり、そこが刺激される。
また、かじられている間に、含有されている植物繊維５のブラッシング作用により、歯または歯間の食べかすが取り除かれ、ガラス質によって歯の表面が磨かれる。さらに、キシリトールによって歯垢の生成が抑えられる。
さらにまた、ドッグフード１或いは１１が摂取されると、カルシウムと燐酸との成分、即ち、コラーゲンによって丈夫な骨や歯が作られ、フラボノイドによって口臭が抑えられ、グリセリン、精製ゼラチンによって、歯質が改善される。
【００４６】
以上、本発明に係るドックフードの実施の形態を説明したが、本発明は、何ら既述の実施の形態に限定されず、特許請求の範囲に記載した本発明の技術的思想の範囲内において、更に、種々の変形および変更が可能であることは当然である。
【図面の簡単な説明】
【００４７】
【図１】本発明に係るドッグフードの第１の実施の形態を概念的に示した斜視図である。
【図２】図１におけるドッグフードの側面図である。
【図３】図２におけるＡ矢視図である。
【図４】図２におけるＢ−Ｂ線に沿う部分の断面図である。
【図５】本発明に係るドッグフードの第２の実施の形態を概念的に示した斜視図である。
【図６】図５におけるドッグフードの側面図である。
【図７】図６におけるＸ矢視図である。
【図８】図６におけるＹ−Ｙ線に沿う部分の断面図である。
【符号の説明】
【００４８】
１，１１    ドッグフード
２，３，４，１２，１３，１４    突条
５    植物繊維
Ｌ    長さ
ｈ1，ｈ2，ｈ3，ｈ4    高さ
α，β，γ，θ    角度
ｗ，ｗ1，ｗ2，ｗ3    幅
【図１】
2005304475.tif 000003
【図２】
2005304475.tif 000004
【図３】
2005304475.tif 000005
【図４】
2005304475.tif 000006
【図５】
2005304475.tif 000007
【図６】
2005304475.tif 000008
【図７】
2005304475.tif 000009
【図８】
2005304475.tif 000010